(57)【要約】      （修正有）【課題】表示品位の悪化を抑制する。【解決手段】表示装置１は、２個以上のサブ画素ＳＧからなるドットＡＧを用いて表示を行う反射型又は半透過型の液晶装置１００と、液晶装置に対向して設けられる照明装置２００であって、遮光層を有する複数の発光素子部２３０を備える照明装置とを備え、２個以上のサブ画素毎に略均等な大きさの遮光領域が発光素子部により形成されるように、複数の発光素子部が配置される。【選択図】図１
2010008844.tif 000002
【特許請求の範囲】
【請求項１】
２個以上のサブ画素からなるドットを用いて表示を行う反射型又は半透過型の液晶装置と、
前記液晶装置に対向して設けられる照明装置であって、遮光層を有する複数の発光素子部を備える照明装置と
を備え、
前記２個以上のサブ画素毎に略均等な大きさの遮光領域が前記発光素子部により形成されるように、前記複数の発光素子部が配置されることを特徴とする表示装置。
【請求項２】
前記サブ画素は、それぞれ所定の色を表示し、
２色以上の前記サブ画素毎に１つの前記発光素子部が配置されるように前記複数の発光素子部の夫々が配置されることを特徴とする請求項１に記載の表示装置。
【請求項３】
前記液晶装置の第１の水平ラインでは、前記２色以上のサブ画素のうちの第１色のサブ画素に対向する位置に前記発光素子部が配置され、
前記第１の水平ラインとは異なる第２の水平ラインでは、前記２色以上のサブ画素のうちの前記第１色のサブ画素とは異なる第２色のサブ画素に対応する位置に前記発光素子部が配置され、
前記第１の水平ライン及び前記第２の水平ラインの夫々とは異なる第３の水平ラインでは、前記２色以上のサブ画素のうちの前記第１色のサブ画素及び前記第２色のサブ画素の夫々とは異なる第３色のサブ画素に対応する位置に前記発光素子部が配置されることを特徴とする請求項２に記載の表示装置。
【請求項４】
特定色の前記サブ画素に前記発光素子部が配置されるように前記複数の発光素子部の夫々が配置されることを特徴とする請求項２に記載の表示装置。
【請求項５】
前記特定色は青色であることを特徴とする請求項４に記載の表示装置。
【請求項６】
６個以上の前記サブ画素毎に１つの前記発光素子部が配置されるように前記複数の発光素子部の夫々が配置されることを特徴とする請求項１から５のいずれか一項に記載の表示装置。
【請求項７】
請求項１から６のいずれか一項に記載の表示装置を備えることを特徴とする電子機器。
【発明の詳細な説明】
【技術分野】
【０００１】
本発明は、例えば液晶装置とフロントライト装置とを備える表示装置、及びこのような表示装置を備える電子機器の技術分野に関する。
【背景技術】
【０００２】
反射型液晶装置や半透過型液晶装置の中には、外光が不十分な環境下での使用のために、液晶パネルを前面から照らすフロントライト装置を備えるものがある。フロントライト装置として、液晶パネルの横に設置された光源からの光を液晶パネルの前面に配置された導光板を伝達させ、導光板に設けられた溝で屈折させて液晶パネルへ導くものがある。このフロントライト装置では、導光板へ導入された光は上記溝で液晶パネル側へ屈折すると共に逆方向（即ち、観察者側）にも屈折する場合があり、この場合には逆方向へ屈折した光は観察者の目に入り液晶装置のコントラストを低下させる可能性がある。
【０００３】
また、フロントライト装置として、有機エレクトロルミネッセンス（ＥＬ）素子を備えるものがある（例えば、特許文献１及び２参照）。このフロントライト装置は、液晶パネルの前面に対向配置され、上記有機ＥＬ素子は例えば格子状に発光するように陰極等がパターニングされる。
【０００４】
【特許文献１】特開２００６−１５４４０２号公報
【特許文献２】特開２０００−２６７０９７号公報
【発明の開示】
【発明が解決しようとする課題】
【０００５】
フロントライト装置において、発光部分及び配線部分は、一般的に液晶パネルからの反射光を遮光するので、フロントライト装置を通して取り出される反射光の強度を低下させる。また、仮に透光性を有する材料を用いて発光部分及び配線部分を構成したとしても、フロントライト装置である以上、光を観察者側に出射させないための遮光層ないしは反射層を設ける必要があるため、フロントライト装置を通して取り出される反射光の強度を低下させることに変わりはない。特にこの場合、特定の画素（サブ画素）に対向する位置に発光部分が配置されてしまう（つまり、発光部分の配置が偏ってしまう）と、他の画素の表示品位（例えば、輝度等）に対して、その特定の画素の表示品位（例えば、輝度等）が顕著に悪化することにもつながりかねない。つまり、表示装置の表示品位にムラが生ずることにもつながりかねない。
【０００６】
本発明は、例えば上述した従来の問題点に鑑みなされたものであり、例えば表示品位の悪化を抑制することが可能な表示装置及びこのような表示装置を備える電子機器を提供することを課題とする。
【課題を解決するための手段】
【０００７】
（表示装置）
本発明の表示装置は、２個以上のサブ画素からなるドットを用いて表示を行う反射型又は半透過型の液晶装置と、前記液晶装置に対向して設けられる照明装置であって、遮光層を有する複数の発光素子部を備える照明装置とを備え、前記２個以上のサブ画素毎に略均等な大きさの遮光領域が前記発光素子部により形成されるように、前記複数の発光素子部が配置される。
【０００８】
本発明の表示装置によれば、照明装置が備える発光素子部から照射された光が液晶装置に入射し且つ該入射した光が液晶装置内で反射して観察者に到達することで、所定の画像ないしは映像を観察者に対して視認させることができる。
【０００９】
本発明では特に、液晶装置は、２個以上のサブ画素からなるドットを用いて表示を行っている。ここで、照明装置が備える複数の発光素子部は、２個以上のサブ画素毎に略均等な大きさの遮光領域が発光素子部（言い換えれば、例えば発光素子部が備える遮光層）によって形成されるように配置される。言い換えれば、照明装置が備える複数の発光素子部は、第１のサブ画素に対して発光素子部が形成する遮光領域の大きさと、第２のサブ画素に対して発光素子部が形成する遮光領域の大きさと、・・・、第ｍ（但し、ｍは２以上の整数）のサブ画素に対して発光素子部が形成する遮光領域の大きさとが略同一となるように配置される。より具体的には、例えば複数の発光素子部の夫々の大きさが略同一であれば、複数の発光素子部は、２個以上のサブ画素毎に略均等な数の発光素子部が対向するように配置される。言い換えれば、照明装置が備える複数の発光素子部は、第１のサブ画素に対向する発光素子部の数と、第２のサブ画素に対向する発光素子部の数と、・・・、第ｍのサブ画素に対向する発光素子部の数とが略同一となるように配置される。
【００１０】
例えば、液晶装置が３個のサブ画素（例えば、赤色サブ画素、緑色サブ画素及び青色サブ画素）からなるドットを用いて表示を行う場合について説明する。この場合、複数の発光素子部は、赤色サブ画素に対して発光素子部が形成する遮光領域の大きさと、緑色サブ画素に対して発光素子部が形成する遮光領域の大きさと、青色サブ画素に対して発光素子部が形成する遮光領域の大きさとが略同一となるように配置される。言い換えれば、複数の発光素子部は、赤色サブ画素に対向する発光素子部の数と、緑色サブ画素に対向する発光素子部の数と、青色サブ画素に対向する発光素子部の数とが略同一となるように配置される。
【００１１】
これにより、表示装置全体として見れば、発光素子部（特に、発光素子部が備える遮光層ないしは反射層）によって反射光が遮光ないしは反射されるサブ画素が偏ることは殆どなくなる。従って、あるサブ画素の表示品位（例えば、輝度等）への悪影響が殆どなく且つ特定のサブ画素の表示品位への悪影響が顕著に現れるという不都合は殆ど発生しない。つまり、表示装置全体として見れば、特定のサブ画素の表示品位を顕著に悪化させることはなくなる。従って、表示装置全体としての表示品位の悪化（例えば、表示ムラ等）を好適に抑制することができる。言い換えれば、表示装置全体としての表示品位を好適に維持することができる。
【００１２】
本発明の表示装置の一の態様は、前記２個以上のサブ画素は、それぞれ所定の色を表示し、２色以上の前記サブ画素毎に１つの前記発光素子部が配置されるように前記複数の発光素子部の夫々が配置される。或いは、２個以上の前記サブ画素毎に１つの前記発光素子部が配置されるように前記複数の発光素子部の夫々が配置される。
【００１３】
この態様によれば、１色のサブ画素（或いは、１個のサブ画素）に１つの発光素子部が配置される構成と比較して、照明装置全体としての発光素子部の数を相対的に減少させることができる。このため、１色のサブ画素（或いは、１個のサブ画素）に１つの発光素子部が配置される構成と比較して、発光素子部が表示装置全体としての光の取り出し効率に対して大きな影響を与えることはなくなる。このため、光の取り出し効率をより一層向上させることができる。
【００１４】
上述の如く２個以上のサブ画素がそれぞれ所定の色を表示する表示装置の態様では、前記液晶装置の第１の水平ラインでは、前記２色以上のサブ画素のうちの第１の色のサブ画素に対向する位置に前記発光素子部が配置され、前記第１の水平ラインとは異なる第２の水平ラインでは、前記２色以上のサブ画素のうちの前記第１の色のサブ画素とは異なる第２の色のサブ画素に対応する位置に前記発光素子部が配置され、前記第１の水平ライン及び前記第２の水平ラインの夫々とは異なる第３の水平ラインでは、前記２色以上のサブ画素のうちの前記第１の色のサブ画素及び前記第２の色のサブ画素の夫々とは異なる第３の色のサブ画素に対応する位置に前記発光素子部が配置されるように構成してもよい。
【００１５】
このように構成すれば、水平ライン毎に、発光素子部が対向するサブ画素を変えることができる。言い換えれば、水平ライン毎に、発光素子部が対向するサブ画素が表示する色を変えることができる。従って、２個以上（或いは、２色以上）のサブ画素の夫々に対して略均等な大きさの遮光領域が発光素子部によって形成されるように、複数の発光素子部を配置することができる。言い換えれば、２個以上（或いは、２色以上）のサブ画素の夫々に対して略均等な数の発光素子部が対向するように、複数の発光素子部を配置することができる。従って、上述したように、液晶装置全体として見れば、特定のサブ画素による表示品位を顕著に悪化させることはなくなる。従って、液晶装置全体としての表示品位の悪化を好適に抑制することができる。言い換えれば、液晶装置全体としての表示品位を好適に維持することができる。
【００１６】
上述の如く２個以上のサブ画素がそれぞれ所定の色を表示する表示装置の態様では、特定色の前記サブ画素に前記発光素子部が配置されるように前記複数の発光素子部の夫々が配置されるように構成してもよい。
【００１７】
このように構成すれば、特定色のサブ画素に発光素子部を配置することができる。
【００１８】
上述の如く特定色のサブ画素に発光素子部が配置される表示装置の態様では、前記特定色は青色であるように構成してもよい。
【００１９】
このように構成すれば、特定色のサブ画素に発光素子部を配置しつつも、表示品位を相応に維持することができる。
【００２０】
本発明の表示装置の他の態様は、６個以上の画素部毎に１つの前記発光素子部が配置されるように前記複数の発光素子部の夫々が配置される。
【００２１】
この態様によれば、１個のサブ画素に１つの発光素子部が配置される構成と比較して、照明装置全体としての発光素子部の数を相対的に減少させることができる。このため、１個のサブ画素に１つの発光素子部が配置される構成と比較して、発光素子部が表示装置全体としての光の取り出し効率に対して大きな影響を与えることはなくなる。このため、光の取り出し効率をより一層向上させることができる。
【００２２】
（電子機器）
上記課題を解決するために、本発明の電子機器は、上述した本発明の表示装置（但し、その各種態様を含む）を備える。
【００２３】
本発明の電子機器によれば、上述した本発明の表示装置（或いは、その各種態様）備えているため、上述した本発明の表示装置が享受する各種効果と同様の効果を享受することができる。つまり、上述した本発明の表示装置が享受する各種効果と同様の効果を享受することができる投射型表示装置、テレビ、携帯電話、電子手帳、携帯オーディオプレーヤ、ワードプロセッサ、デジタルカメラ、ビューファインダ型又はモニタ直視型のビデオレコーダ、ワークステーション、テレビ電話、ＰＯＳ端末、タッチパネルなどの各種電子機器を実現することができる。
【００２４】
本発明の作用及び他の利得は次に説明する実施の形態から更に明らかにされよう。
【発明を実施するための最良の形態】
【００２５】
以下、本発明を実施するための最良の形態を、図面に基づいて説明する。
【００２６】
（１）表示装置の構成
はじめに、図１を参照して、本実施形態に係る表示装置１の基本構成について説明する。ここに、図１は、本実施形態に係る表示装置１の構成を模式的に示す断面図である。
【００２７】
図１に示すように、本実施形態に係る表示装置１は、反射型又は半透過型の液晶パネル１００と、当該液晶パネル１００に対向して設けられた照明パネル２００とを備えている。照明パネル２００は、液晶パネル１００の観察者側に配置され、液晶パネル１００のフロントライト装置として用いられる。液晶パネル１００の詳細な構成は後述するが、各種の反射型又は半透過型の液晶パネルを適用することができる。例えば、液晶パネル１００は、照明パネル２００側に不図示の偏光板を備えていてもよい。
【００２８】
（２）液晶パネルの構成
続いて、図２及び図３を参照して、本実施形態に係る液晶パネル１００の構成について説明する。
【００２９】
図２は、本実施形態に係る液晶パネル１００の概略構成を模式的に示す平面図である。図２では、紙面手前側（観察側）にカラーフィルタ基板９２が、また、紙面奥側に素子基板９１が夫々配置されている。なお、図２では、紙面縦方向（列方向）をＹ方向と規定し、また、紙面横方向（行方向）をＸ方向と規定する。また、図２において、Ｒ（赤）、Ｇ（緑）、Ｂ（青）に対応する各領域は１つのサブ画素ＳＧを示していると共に、ＲＧＢに対応する１行３列のサブ画素ＳＧは、１つの表示画素ＡＧ（つまり、１ドット）を示している。
【００３０】
図３は、液晶パネル１００における切断線Ａ−Ａ´に沿った１つの表示画素ＡＧの拡大断面図である。図３に示すように、液晶パネル１００は、素子基板９１と、その素子基板９１に対向して配置されるカラーフィルタ基板９２とが枠状のシール材５を介して貼り合わされ、そのシール材５の内側に液晶が封入されて液晶層４が形成されてなる。
【００３１】
本実施形態に係る液晶パネル１００は、ＲＧＢの３色を用いて構成されるカラー表示用の液晶パネルであると共に、スイッチング素子として例えばＴＦＴ（Thin Film Transistor）素子を用いたアクティブマトリクス駆動方式の液晶パネルである。但し、本実施形態に係る液晶パネル１００は、ＲＧＢの３色に加えてＷ（白又は透明）のサブ画素ＳＧを用いて構成されるカラー表示用の液晶パネルであってもよい。
【００３２】
素子基板９１の平面構成について説明する。素子基板９１の内面上には、主として、複数のデータ線（或いは、ソース線）３２、複数のゲート線３３、複数のＴＦＴ素子３７、複数の画素電極３４、ドライバＩＣ４０、外部接続用配線３５及びＦＰＣ（Flexible Printed Circuit）４１などが形成若しくは実装されている。
【００３３】
図２に示すように、素子基板９１は、カラーフィルタ基板９２の一辺側から外側へ張り出してなる張り出し領域３１を有しており、その張り出し領域３１上には、ドライバＩＣ４０が実装されている。ドライバＩＣ４０の入力側の端子（図示略）は、複数の外部接続用配線３５の一端側と電気的に接続されていると共に、複数の外部接続用配線３５の他端側はＦＰＣ４１と電気的に接続されている。各データ線３２は、Ｙ方向に延在するように且つＸ方向に適宜の間隔をおいて形成されており、各データ線３２の一端側は、ドライバＩＣ４０の出力側の端子（図示略）に電気的に接続されている。
【００３４】
各ゲート線３３は、Ｙ方向に延在するように形成された第１配線３３ａと、その第１配線３３ａの終端部からＸ方向に延在するように形成された第２配線３３ｂとを備えている。各ゲート線３３の第２配線３３ｂは、各データ線３２と交差する方向、即ちＸ方向に延在するように且つＹ方向に適宜の間隔をおいて形成されており、各ゲート線３３の第１配線３３ａの一端側は、ドライバＩＣ４０の出力側の端子（図示略）に電気的に接続されている。各データ線３２と各ゲート線３３の第２配線３３ｂの交差に対応する位置にはＴＦＴ素子３７が設けられており、各ＴＦＴ素子３７は各データ線３２、各ゲート線３３及び各画素電極３４等に電気的に接続されている。
【００３５】
各ＴＦＴ素子３７及び各画素電極３４は、ガラスなどの基板１上の各サブ画素ＳＧに対応する位置に設けられている。各画素電極３４は、例えばＩＴＯ（Indium-Tin Oxide）などの透明導電材料により形成されている。なお、ここで、スイッチング素子としては、アモルファスＴＦＴ素子を用いてもよいし、ポリシリコンＴＦＴを用いてもよいし、或いはＴＦＤ（Thin Film Diode）素子を用いてもよい。
【００３６】
また、本実施形態に係る液晶パネル１００が反射型又は半透過型の液晶パネルであるため、素子基板９１の背面に金属材料等を含む反射膜が形成されている。
【００３７】
１つの表示画素ＡＧがＸ方向及びＹ方向に複数個、マトリクス状に並べられた領域が有効表示領域Ｖ（２点鎖線により囲まれる領域）である。この有効表示領域Ｖに、文字、数字、図形等の画像が表示される。つまり、この有効表示領域Ｖが、液晶装置１００における表示画面の領域を示している。なお、有効表示領域Ｖの外側の領域は表示に寄与しない額縁領域３８となっている。また、各データ線３２、各ゲート線３３、各ＴＦＴ素子３７、及び各画素電極３４等の内面上には、図示しない配向膜が形成されている。
【００３８】
また、本実施形態では、走査線における奇数ライン（具体的には、第１行目、第３行目、・・・）におけるサブ画素ＳＧの配列と、走査線における偶数ライン（具体的には、第２行目、第４行目、・・・）におけるサブ画素ＳＧの配列とが、画素ＡＧの単位で半ピッチ（言い換えれば、半周期）ずれている。具体的には、奇数ラインにおいては、有効表示領域Ｖの左端から、赤色（Ｒ）を表示するためのサブ画素ＳＧ、緑色（Ｇ）を表示するためのサブ画素ＳＧ及び青色（Ｂ）を表示するためのサブ画素ＳＧの順にサブ画素ＳＧが配置されている一方で、偶数ラインにおいては、有効表示領域Ｖの左端から、青色（Ｂ）を表示するためのサブ画素ＳＧ、赤色（Ｒ）を表示するためのサブ画素ＳＧ及び緑色（Ｇ）を表示するためのサブ画素ＳＧの順にサブ画素ＳＧが配置されている。但し、全ての走査線におけるにおけるサブ画素ＳＧの配列が同一となるように構成してもよい。
【００３９】
次に、カラーフィルタ基板９２の平面構成について説明する。図３に示すように、カラーフィルタ基板９２は、ガラスなどの基板２上に、遮光層（一般に「ブラックマトリクス」と呼ばれ、以下では、単に「ＢＭ」と略記する）９５、Ｒ、Ｇ、Ｂの着色層６Ｒ、６Ｇ、６Ｂ及び共通電極８などを有する。ＢＭ９５は、各サブ画素ＳＧを区画する位置に形成されている。ここでは、各色のサブ画素ＳＧについて、対応する色をカッコ付きで示している。
【００４０】
なお、以下の説明もしくは図面において、ＲＧＢの色を特定することなく構成要素を示す場合には、単に「着色層６」のように記し、ＲＧＢの色を区別して構成要素を示す場合には、例えば「着色層６Ｒ」のように記すこととする。
【００４１】
この着色層６Ｒ、６Ｇ、６Ｂがカラーフィルタを構成する。共通電極８は、画素電極３４と同様にＩＴＯなどの透明導電材料からなり、カラーフィルタ基板９２の略一面に亘って形成されている。共通電極８は、シール材５の隅の領域Ｅ１において配線３６の一端側と電気的に接続されていると共に、当該配線３６の他端側は、ドライバＩＣ４０のＣＯＭに対応する出力端子と電気的に接続されている。
【００４２】
液晶パネル１００では、電子機器のメイン基板等と接続されたＦＰＣ４１側からの信号及び電力等に基づき、ドライバＩＣ４０によって、Ｇ１、Ｇ２、・・・、Ｇｍ−１、Ｇｍ（但し、ｍは自然数）の順にゲート線３３が順次排他的に１本ずつ選択されるとともに、選択されたゲート線３３には、選択電圧のゲート信号が供給される一方、他の非選択のゲート線３３には、非選択電圧のゲート信号が供給される。そして、ドライバＩＣ４０は、選択されたゲート線３３に対応する位置にある画素電極３４に対し、表示内容に応じた画像信号を、それぞれ対応するＳ１、Ｓ２、・・・、Ｓｎ−１、Ｓｎ（ｎは自然数）のデータ線３２及びＴＦＴ素子３７を介して供給する。その結果、液晶層４の配向状態が制御され、液晶パネル１００の表示状態が、非表示状態または中間表示状態に切り替えられることとなる。
【００４３】
尚、上述した液晶パネル１００の構成は一具体例であり、その他の構成を有する液晶パネル１００を採用してもよいことは言うまでもない。
【００４４】
（３）照明パネルの構成
続いて、図４を参照して、本実施形態に係る照明パネル２００の構成について説明する。ここに、図４は、本実施形態に係る照明パネル２００の構成を概略的に示す断面図及び平面図である。
【００４５】
図４（ａ）に示すように、照明パネル２００は、対向する一対の透光性基板２１０及び２２０を備えている。一対の透光性基板２１０及び２２０の間には、複数の発光素子部２３０と、第１配線２４０と、透光性層２５０と、第２配線２６０と、シール２７０とが形成されている。また、本実施形態では、複数の発光素子部２３０の夫々が有機エレクトロルミネッセンス（ＥＬ）素子から構成される例について説明する。このため、複数の発光素子部２３０の夫々は、遮光層２３１と、陽極（言い換えれば、アノード）２３２と、発光層２３３と、陰極（言い換えれば、カソード）２３４とを備えている。
【００４６】
尚、照明パネル２００では、発光素子部２３０での発光Ｌは、当該発光素子部２３０が配置された透光性基板２１０に対向する透光性基板２２０を介して液晶パネル１００へ照射される。つまり、本実施形態に係る照明パネル２００は、いわゆるトップエミッション型の構成を採用している。但し、トップエミッション型の構成に限らず、他の構成（例えば、ボトムエミッション型の構成）を採用してもよいことは言うまでもない。
【００４７】
また、照明パネル２００では、複数の発光素子部２３０が分散して配置されている。尚、本実施形態では、複数の発光素子部２３０がマトリクス状に分散して配置される例を示しているが、複数の発光素子部がマトリクス状に分散して配置されていなくともよく、他の態様で分散して配置されていてもよい。複数の発光素子部２３０の夫々には、第１配線２４０及び第２配線２６０を介して電力が供給される。
【００４８】
透光性基板２１０及び２２０の夫々は、例えば透明なガラス板を含んでいる。ここでは、透光性基板２１０が観察者の側に位置し且つ透光性基板２２０が液晶パネル１００の側に位置する例を示している。
【００４９】
図４（ｂ）に示すように、第１配線２４０は、透光性を有した配線であって、例えばＩＴＯ（Indium Tin Oxide）やＩＺＯ（Indium Zinc Oxide）等の透明導電材料を含んでいる。第１配線２４０は、例えば透光性基板２１０上に配置されている。また、本実施形態では、第１配線２４０が、１本の幹部２４１と、当該幹部２４１から同じ側へ分岐し且つ平行に延在する複数の枝部２４２とを有する例について示している。但し、第１配線２４０の構成が図４（ｂ）に示す構成に限定されることはなく、任意の構成を採用してもよい。
【００５０】
また、図４（ｂ）に示すように、第２配線２６０は、透光性を有した配線であって、例えばＩＴＯ（Indium Tin Oxide）やＩＺＯ（Indium Zinc Oxide）等の透明導電材料を含んでいる。また、本実施形態では、第２配線２６０が、１本の幹部２６１と、当該幹部２６１から同じ側へ分岐し且つ平行に延在する複数の枝部２６２とを有する例について示している。但し、第２配線２６０の構成が図４（ｂ）に示す構成に限定されることはなく、任意の構成を採用してもよい。
【００５１】
第１配線２４０の枝部２４２と第２配線２６０の枝部２６２との交点には、発光素子部２３０が設けられている。
【００５２】
遮光層２３１は、陽極２３２と第１配線２４０の枝部２４２との間に配置され、発光層２３３に対して陰極２３４とは反対側に配置されている。遮光層２３１は、発光層２３３での発光Ｌが透光性基板２１０側（即ち、観察者側）へ出射されるのを防止する。遮光層２３１は、例えばアルミニウム（Ａｌ）、クロム（Ｃｒ）、ニッケル（Ｎｉ）、モリブデン（Ｍｏ）、金（Ａｕ）、銀（Ａｇ）、酸化クロム等の金属材料等を含んでいる。遮光層２３１は、発光Ｌに対する反射率が高い材料で構成されるのがより好ましく、その場合には、上記の遮光機能のみならず、発光Ｌを反射して透光性基板２２０側（即ち、液晶パネル１００側）へ出射する光の強度（或いは、光量）を相対的に大きくすることができる。上に示した各種材料によれば、遮光機能と反射機能との双方を実現することができる。遮光層２３１は導電性を有しており、陽極２３２と第１配線２４０の枝部２４２とを電気的に接続している。
【００５３】
陽極２３２は、発光層２３３と遮光層２３１との間に配置され、第１配線２４０の枝部２４２を介して供給される電力を発光層２３３に対して供給する。陽極２３２は、例えば、透光性を有した配線であって、例えばＩＴＯ（Indium Tin Oxide）やＩＺＯ（Indium Zinc Oxide）等の透明導電材料を含んでいる。但し、例えばマグネシウム−銀合金（Ｍｇ−Ａｇ合金）、リチウム−アルミニウム合金（Ｌｉ−Ａｌ合金）、マグネシウム−インジウム合金（Ｍｇ−Ｉｎ合金）、アルミニウム（Ａｌ）、金（Ａｕ）、銀（Ａｇ）等の金属材料を含んでいてもよい。陽極２３２がこのような金属材料を含む場合には、陽極２３２の膜厚を調整することで、陽極２３２に透光性を備えさせることが好ましい。
【００５４】
発光層２３３は、陽極２３２及び陰極２３４を介して供給される電力に応じて発光する素子であり、例えば、不図示の正孔輸送層と有機発光層と電子輸送層とを備えている。
【００５５】
陰極２３４は、発光層２３３と第２配線２６０の枝部２６２との間に配置され、第２配線２６０の枝部２６２を介して供給される電力を発光層２３３に対して供給する。陰極２３４は、例えば、透光性を有した配線であって、例えばＩＴＯ（Indium Tin Oxide）やＩＺＯ（Indium Zinc Oxide）等の透明導電材料を含んでいることが好ましい。但し、例えばマグネシウム−銀合金（Ｍｇ−Ａｇ合金）、リチウム−アルミニウム合金（Ｌｉ−Ａｌ合金）、マグネシウム−インジウム合金（Ｍｇ−Ｉｎ合金）、アルミニウム（Ａｌ）、金（Ａｕ）、銀（Ａｇ）等の金属材料を含んでいてもよい。陰極２３４がこのような金属材料を含む場合には、陰極２３４の膜厚を調整することで、陰極２３４に透光性を備えさせることが好ましい。
【００５６】
透光性基板２１０上には、透光性層２５０の一部を構成する絶縁層２５１が配置されている。絶縁層２５１は、第１配線２４０を覆って透光性基板２１０上に配置されると共に透光性基板２１０に接している。また、透光性基板２２０上には、透光性層２５０の他の一部を構成する絶縁層２５２が配置されている。これらの絶縁層２５１及び２５２により、第１配線２４０の枝部２４２と第２配線２６０の枝部２６２との間の絶縁（或いは、その他の短絡させるべきでない箇所の絶縁）が維持される。尚、絶縁層２５１及び２５２の夫々は、透光性基板２１０及び２２０の夫々と略等しい屈折率を有する材料で構成されることが好ましく、例えば酸化シリコン等の材料で構成される。
【００５７】
シール２７０は、透光性基板２１０及び２２０の周縁に沿って配置され、透光性基板２１０及び２２０の夫々を接着して互いに固着させている。
【００５８】
尚、上述した照明パネル２００の構成は一具体例であり、その他の構成を有する照明パネル２００を採用してもよいことは言うまでもない。
【００５９】
（４）照明装置の配置の具体的態様
続いて、図５を参照して、本実施形態に係る照明パネル２００が備える発光素子部２３０と液晶パネル１００との間の位置関係について説明する。ここに、図５は、本実施形態に係る照明パネル２００が備える発光素子部２３０と液晶パネル１００との間の位置関係を示す平面図である。
【００６０】
本実施形態では、発光素子部２３０は、３種類のサブ画素ＳＧ（つまり、赤色を表示するためのサブ画素ＳＧ（以降、ＳＧ（Ｒ）と表記する）、緑色を表示するためのサブ画素ＳＧ（以降、ＳＧ（Ｇ）と表記する）及び青色を表示するためのサブ画素ＳＧ（以降、ＳＧ（Ｂ）と表記する））の夫々に対して略均等な大きさの遮光領域が発光素子部２３０（特に、発光素子部２３０が備える遮光層２３１）によって形成されるように配置される。言い換えれば、発光素子部２３０は、サブ画素ＳＧ（Ｒ）に対して発光素子部２３０が形成する遮光領域の大きさと、サブ画素ＳＧ（Ｇ）に対して発光素子部２３０が形成する遮光領域の大きさと、サブ画素ＳＧ（Ｂ）に対して発光素子部２３０が形成する遮光領域の大きさとが略同一となるように配置される。
【００６１】
このため、本実施形態では、図５に示すように、第ｋ（但し、ｋは、１以上且つゲート線３３の本数以下となる整数）番目の水平ライン上においては、サブ画素ＳＧ（Ｒ）に対向する位置に発光素子部２３０が配置され、サブ画素ＳＧ（Ｇ）及びＳＧ（Ｂ）の夫々に対向する位置に発光素子部２３０が配置されない。第ｋ＋２番目の水平ライン上においては、サブ画素ＳＧ（Ｇ）に対向する位置に発光素子部２３０が配置され、サブ画素ＳＧ（Ｒ）及びＳＧ（Ｂ）の夫々に対向する位置に発光素子部２３０が配置されない。第ｋ＋４番目の水平ライン上においては、サブ画素ＳＧ（Ｂ）に対向する位置に発光素子部２３０が配置され、サブ画素ＳＧ（Ｒ）及びＳＧ（Ｇ）の夫々に対向する位置に発光素子部２３０が配置されない。
【００６２】
また、第ｋ＋１番目の水平ライン及び第ｋ＋３番目の水平ライン上においては、サブ画素ＳＧ（Ｒ）、サブ画素ＳＧ（Ｇ）及びＳＧ（Ｂ）の夫々に対向する位置に発光素子部２３０が配置されない。従って、本実施形態では、複数個のサブ画素ＳＧに対して１つの発光素子部２３０が対応するように、複数の発光素子部２３０の夫々が配置されている。この場合、好ましくは、複数の発光素子部２３０の夫々は、ｎ（但し、ｎは２以上の整数であり、好ましくは２≦ｎ≦２４を満たす整数であり、より好ましくは６≦ｎ≦２４を満たす整数）個のサブ画素ＳＧに対して１つの発光素子部２３０が対応するように配置されることが好ましい。
【００６３】
これにより、表示装置１全体として見れば、複数の発光素子部２３０（特に、発光素子部２３０が備える遮光層２３１）によって反射光が遮光ないしは反射されるサブ画素ＳＧの種類が特定の種類に偏ることは殆どなくなる。従って、あるサブ画素ＳＧの表示品位（例えば、輝度等）への悪影響が殆どなく且つ特定のサブ画素ＳＧの表示品位への悪影響が顕著に現れるという不都合は殆ど発生しない。つまり、表示装置１全体として見れば、特定のサブ画素ＳＧの表示品位を顕著に悪化させることはなくなる。従って、表示装置１全体としての表示品位の悪化（例えば、表示ムラ等）を好適に抑制することができる。言い換えれば、表示装置１全体としての表示品位を好適に維持することができる。
【００６４】
加えて、本実施形態では、複数個のサブ画素ＳＧに対して１つの発光素子部２３０が対応するように、複数の発光素子部２３０の夫々が配置されている。これにより、１つのサブ画素ＳＧに対して１つの発光素子部２３０が対応するように複数の発光素子部２３０を配置する必要がなくなるため、照明パネル２００の構成を簡略化することができる。特に、近年液晶パネル１００の微細化が顕著に進んでいることを考慮すれば、照明パネル２００も合わせて微細化を進めなければならないところ、照明パネル２００の微細化を必ずしも行わなくことなく上述した表示装置を実現することができる。加えて、液晶パネル１００からの反射光を遮光ないしは反射する発光素子部２３０の配置密度（或いは、配置数）を小さくすることができるため、液晶パネル１００からの反射光が遮光ないしは反射される確率が小さくなる。このため、表示装置１からの光の取り出し効率をよりいっそう向上させることができる。
【００６５】
尚、発光素子部２３０の大きさ（例えば、観察者の側から見た場合の径の大きさ等）が同一であるとすれば、上述した発光素子部２３０の配置の態様は、３種類のサブ画素ＳＧの夫々に対して略均等な数の発光素子部２３０が対向するように複数の発光素子部２３０が配置される態様と実質的には同一になる。従って、この場合には、発光素子部２３０がサブ画素ＳＧに対して形成する遮光領域の大きさに加えて又は代えて、発光素子部２３０の数の側面から、発光素子部２３０の配置を規定してもよい。
【００６６】
また、３種類のサブ画素ＳＧの夫々に対して略均等な大きさの遮光領域が発光素子部２３０によって形成されるように複数の発光素子部２３０の夫々を配置しなくともよい。具体的には、複数の発光素子部２３０は、任意の位置に配置されるように構成してもよい。この構成の一例について、図６を参照して説明する。ここに、図６は、本実施形態に係る照明パネルが備える発光素子部２３０と液晶パネル１００との間の他の位置関係を示す平面図である。
【００６７】
図６に示すように、３種類のサブ画素ＳＧの夫々に対して略均等な大きさの遮光領域が発光素子部２３０によって形成されるように複数の発光素子部２３０が配置されなくとも、例えば特定のサブ画素ＳＧに対向する位置に複数の発光素子部２３０を配置してもよい。
【００６８】
この場合、より好ましくは、複数の発光素子部２３０の夫々は、複数個のサブ画素ＳＧに対して１つの発光素子部２３０が対応するように配置されることが好ましい。例えば、複数の発光素子部２３０の夫々は、ｎ（但し、ｎは２以上の整数であり、好ましくは２≦ｎ≦２４を満たす整数であり、より好ましくは６≦ｎ≦２４を満たす整数）個のサブ画素ＳＧに対して１つの発光素子部２３０が対応するように配置されることが好ましい。
【００６９】
これにより、１個のサブ画素ＳＧに対して１つの発光素子部２３０が対応するように複数の発光素子部２３０が配置される構成と比較して、液晶パネル１００からの反射光を遮光ないしは反射する発光素子部２３０の配置密度（或いは、配置数）を小さくすることができる。このため、反射光を遮光ないしは反射する液晶パネル１００上の構成以外の構成に対向する位置に発光素子部２３０を配置したとしても、表示装置１からの光の取り出し効率をより相応に向上させることができる。但し、表示品位を好適に維持するという観点からは、上述したように、３種類のサブ画素ＳＧの夫々に対して略均等な大きさの遮光領域が発光素子部２３０によって形成されるように複数の発光素子部２３０が配置されることが好ましい。
【００７０】
（６）電子機器
続いて、図７及び図８を参照しながら、上述の表示装置１を具備してなる電子機器の例を説明する。
【００７１】
図７は、上述した表示装置１が適用されたモバイル型のパーソナルコンピュータの斜視図である。図７において、コンピュータ１２００は、キーボード１２０２を備えた本体部１２０４と、上述した表示装置１を含んでなる液晶表示ユニット１２０６とから構成されている。
【００７２】
次に、上述した表示装置１を携帯電話に適用した例について説明する。図８は、電子機器の一例である携帯電話の斜視図である。図８において、携帯電話１３００は、複数の操作ボタン１３０２とともに、上述した表示装置１を備えている。
【００７３】
これらの電子機器においても、上述した表示装置１を含んでいるため、上述した各種効果を好適に享受することができる。
【００７４】
尚、図７及び図８を参照して説明した電子機器の他にも、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた直視型の表示装置や、液晶プロジェクタ等の投射型の表示装置等が挙げられる。そして、これらの各種電子機器に適用可能なのは言うまでもない。
【００７５】
本発明は、上述した実施例に限られるものではなく、請求の範囲及び明細書全体から読み取れる発明の要旨或いは思想に反しない範囲で適宜変更可能であり、そのような変更を伴なう表示装置及び電子機器もまた本発明の技術的範囲に含まれるものである。
【図面の簡単な説明】
【００７６】
【図１】本実施形態に係る表示装置の概略構成を模式的に示す平面図である。
【図２】本実施形態に係る液晶パネルの概略構成を模式的に示す平面図である。
【図３】液晶パネルにおける切断線Ａ−Ａ´に沿った１つの表示画素の拡大断面図である。
【図４】本実施形態に係る照明パネルの概略構成を模式的に示す断面図である。
【図５】本実施形態に係る照明パネルが備える発光素子部と液晶パネルとの間の位置関係を示す平面図である。
【図６】本実施形態に係る照明パネルが備える発光素子部と液晶パネルとの間の他の位置関係を示す平面図である。
【図７】表示装置が適用されたモバイル型のパーソナルコンピュータの斜視図である。
【図８】表示装置が適用された携帯電話の斜視図である。
【符号の説明】
【００７７】
１…表示装置、１００…液晶パネル、２００…照明パネル、２３０…発光素子部、ＳＧ…サブ画素
【図１】
2010008844.tif 000003
【図２】
2010008844.tif 000004
【図３】
2010008844.tif 000005
【図４】
2010008844.tif 000006
【図５】
2010008844.tif 000007
【図６】
2010008844.tif 000008
【図７】
2010008844.tif 000009
【図８】
2010008844.tif 000010